(57)【要約】【課題】  植物の成長に合わせた支持を可能にすることで、植物の倒伏を確実に防止することができる植物の倒伏防止具を提供する。【解決手段】  互いに間隔をあけて配置され、それぞれ直線状の保持部材４０を支持する複数の支持体２を備える植物の倒伏防止具１であって、支持体２は、地面に垂直に立設される支柱１０と、支柱１０に水平に支持される横柱２０とを備え、横柱２０は、支柱１０に上下移動可能に取り付けられ、保持部材４０を支持する係合部材３０を備えており、係合部材３０は、横柱２０に水平移動可能に取り付けられている。【選択図】  図１
0003181651.tif 000002
【実用新案登録請求の範囲】
【請求項１】
互いに間隔をあけて配置され、それぞれ直線状の保持部材を支持する複数の支持体を備える植物の倒伏防止具であって、
前記支持体は、地面に垂直に立設される支柱と、前記支柱に水平に支持される横柱とを備え、
前記横柱は、前記支柱に上下移動可能に取り付けられ、前記保持部材を支持する係合部材を備えており、
前記係合部材は、前記横柱に水平移動可能に取り付けられている植物の倒伏防止具。
【請求項２】
前記横柱は、前記支柱から両側に延びるように設けられており、
前記係合部材は、前記支柱を挟んで両側にそれぞれ配置されている請求項１に記載の植物の倒伏防止具。
【請求項３】
前記係合部材は、前記横柱に対して蝶螺子により任意の位置で固定できるように構成されている請求項１または２に記載の植物の倒伏防止具。
【考案の詳細な説明】
【技術分野】
【０００１】
本考案は、植物の倒伏防止具に関する。
【背景技術】
【０００２】
黒豆、空豆などの農作物あるいは観賞用植物のように、成長に伴い倒伏するおそれがある植物に対して、倒伏を防止するために支柱を用いた倒伏防止具が従来から検討されている。例えば、特許文献１には、図４に示すように、地面に立設される複数の支柱５１を備え、各支柱５１にロープ保持部材５２が設けられたアスパラガス倒伏防止装置５０が開示されている。ロープ保持部材５２は、支柱５１の上端部から水平方向両側に延びており、それぞれの先端部にロープ５３を保持する環状の挿通部５２ａ，５２ａを備えている。このアスパラガス倒伏防止装置５０は、アスパラガスが定植された畦に沿って各支柱５１を所定の間隔で配置し、ロープ保持部材５２の挿通部５２ａ，５２ａにロープ５３，５３を挿通して張設することにより、ロープ５３，５３の間にアスパラガスの茎葉部を保持して倒伏を防止することができる。
【先行技術文献】
【特許文献】
【０００３】
【特許文献１】特開２００７−２５９８２２号公報
【考案の概要】
【考案が解決しようとする課題】
【０００４】
ところが、上記従来のアスパラガス倒伏防止装置５０は、張設されるロープ５３，５３の位置が固定されてしまい、ロープ５３，５３の高さや間隔を変えることができないので、植物の成長に合わせた的確な支持が困難であるという問題があった。
【０００５】
そこで、本考案は、植物の成長に合わせた支持を可能にすることで、植物の倒伏を確実に防止することができる植物の倒伏防止具の提供を目的とする。
【課題を解決するための手段】
【０００６】
本考案の前記目的は、互いに間隔をあけて配置され、それぞれ直線状の保持部材を支持する複数の支持体を備える植物の倒伏防止具であって、前記支持体は、地面に垂直に立設される支柱と、前記支柱に水平に支持される横柱とを備え、前記横柱は、前記支柱に上下移動可能に取り付けられ、前記保持部材を支持する係合部材を備えており、前記係合部材は、前記横柱に水平移動可能に取り付けられている植物の倒伏防止具により達成される。
【０００７】
この植物の倒伏防止具において、前記横柱は、前記支柱から両側に延びるように設けられていることが好ましく、前記係合部材は、前記支柱を挟んで両側にそれぞれ配置されていることが好ましい。
【０００８】
また、前記係合部材は、前記横柱に対して蝶螺子により任意の位置で固定できるように構成されていることが好ましい。
【考案の効果】
【０００９】
本考案の植物の倒伏防止具によれば、植物の成長に合わせた支持を可能にすることで、植物の倒伏を確実に防止することができる。
【図面の簡単な説明】
【００１０】
【図１】本考案の一実施形態に係る植物の倒伏防止具を地面に配置した状態を示す正面図である。
【図２】図１に示す植物の倒伏防止具を矢示Ａ方向からみた要部側面図である。
【図３】図１に示す植物の倒伏防止具の使用方法を説明するための側面図である。
【図４】従来の倒伏防止具の斜視図である。
【考案を実施するための形態】
【００１１】
以下、本考案の一実施形態について添付図面を参照しつつ説明する。図１は、本考案の一実施形態に係る植物の倒伏防止具を地面に配置した状態を示す正面図であり、図２は、図１に示す植物の倒伏防止具を矢示Ａ方向からみた要部側面図である。図１および図２に示すように、植物の倒伏防止具１は、地面Ｇに間隔をあけて配置される複数の支持体２を備えており、直線状に延びる保持部材４０を各支持体２によって支持可能に構成されている。支持体２の大きさは、倒伏を防止する植物の種類や大きさ等に応じて適宜設定される。
【００１２】
支持体２は、支柱１０、横柱２０および係合部材３０を備えている。支柱１０は、中空筒状あるいは中実棒状の部材から形成することができ、下端部を地面Ｇに埋め込むことにより、地面Ｇに垂直に立設される。支柱１０には、支持筒１２が移動可能に外嵌されており、支持筒１２に外周面から螺合される蝶螺子１４の先端部を内周面側に突出させることで、蝶螺子１４の先端が支柱１０の外周面に当接し、支持筒１２を任意の高さ位置で固定することができる。支柱１０は、異形鉄筋などを使用することで、外周面に円弧状または環状の突部１０ａが長手方向に沿って複数形成されていることが好ましく、蝶螺子１４の先端部を上下の突部１０ａ，１０ａ間に保持して支持筒１２を確実に固定することができる。
【００１３】
横柱２０は、中空筒状に形成されており、支持筒１２から水平方向に延びるように一端部が支持筒１２の外周面に固定されて、支柱１０に上下動可能となるように支持されている。横柱２０は、単一のものであってもよいが、本実施形態においては支持筒１２の水平方向両側に設けられており、各横柱２０に後述する係合部材３０を取り付けることができる。横柱２０の張り出し幅は、作業者が通過する空間を確保するため、支持体２が設置される畝などの幅よりも若干小さくなるように設定することが好ましい。
【００１４】
係合部材３０は、保持部材４０と係合する係合部３２と、係合部３２を支持する筒状の摺動部３４と、摺動部３４に螺合される蝶螺子３６とを備えている。係合部３２は、竹材などからなる棒状の保持部材４０を内部に保持できるように、上部が開口する円弧状に形成されている。係合部３２の構成は、保持部材４０を支持可能であれば特に限定されるものではなく、例えば、保持部材４０が紐状に形成されている場合には、係合部３２が保持部材４０を挟持可能な構成であってもよい。摺動部３４は、横柱２０に摺動可能に外嵌されており、蝶螺子３６の先端部を摺動部３４の内周面側に突出させることで、蝶螺子３６の先端を横柱２０の外周面に当接させて、摺動部３４を横柱２０に沿った任意の位置に固定することができる。
【００１５】
横柱２０に取り付ける係合部材３０の数は、特に限定されないが、支柱１０を挟んで両側にそれぞれ配置されることが好ましい。また、本実施形態のように、係合部材３０を支柱１０を挟んで両側にそれぞれ複数配置することも可能である。係合部材３０は、必要に応じて横柱２０の先端側から挿入し、あるいは抜き取ることができる。
【００１６】
以上の構成を備える植物の倒伏防止具１は、複数の支持体２を、畝などに沿って間隔をあけて配置し、各支持体２の係合部材３０により保持部材４０を支持する。図３（ａ）に示すように、定植直後などで植物Ｐの丈が低い場合には、支柱１０の両側にある係合部材３０，３０を互いの間隔が狭まるように移動させて、保持部材４０，４０間に植物Ｐを挟持する。植物Ｐが成長して丈が高くなると、植物Ｐの上部を支える必要があるため、支持筒１２を固定する蝶螺子１４を緩めて、支持筒１２および横柱２０，２０を上昇させる。
【００１７】
本実施形態の植物の倒伏防止具１は、係合部材３０が横柱２０に沿って水平移動可能に構成されているため、横柱２０を上昇させる際に、摺動部３４を固定する蝶螺子３６を緩めて係合部材３０，３０の間隔を一旦大きく拡げることが可能である。これにより、成長に伴い側方に張り出した植物Ｐの枝などが横柱２０，２０と干渉して横柱２０，２０の上昇を妨げるのを防止することができ、成長した植物Ｐを支持するのに適した高さ位置で横柱２０，２０を固定することができる。この後、係合部材３０，３０を互いの間隔が狭まるように移動させて、保持部材４０，４０間に植物Ｐを挟持する位置で蝶螺子３６を締めて摺動部３４を横柱２０，２０に固定することにより、植物Ｐを支持することができる。本実施形態のように、係合部材３０が支柱１０の両側にそれぞれ複数配置された構成においては、他の係合部材３０についても同様の操作を行うことで、隣接する各係合部材３０，３０間にそれぞれ異なる植物を支持することができる。
【００１８】
このように、本実施形態の植物の倒伏防止具１によれば、種々の植物の成長に合わせて保持部材４０，４０の高さ調整や間隔調整を容易に行うことができるので、このような調整を定期的あるいは強風時等に行うことで、植物の倒伏を確実に防止することができる。また、支持体２の設置も容易であることから、台風の接近前など必要時に迅速に作業を行うことができる。
【００１９】
本発明の植物の倒伏防止具は、倒伏するおそれがある種々の植物に適用可能であるが、特に、黒豆や空豆などの一年草作物を支持するのに好適である。
【符号の説明】
【００２０】
１  植物の倒伏防止具
２  支持体
１０  支柱
１２  支持筒
１４  蝶螺子
２０  横柱
３０  係合部材
３２  係合部
３４  摺動部
３６  蝶螺子
４０  保持部材
【図１】
0003181651.tif 000003
【図２】
0003181651.tif 000004
【図３】
0003181651.tif 000005
【図４】
0003181651.tif 000006